(57)【特許請求の範囲】
【請求項１】
ワイヤレス送受信ユニット（ＷＴＲＵ）において実施される、無線リンク（ＲＬ）障害に対処するための方法であって、
セル転送アクセスチャネル（ＣＥＬＬ＿ＦＡＣＨ）状態において動作しているときに、ＲＬ障害についての基準が満たされることを決定するステップと、
ＲＬ障害についての前記基準が満たされることを決定すると、タイマを開始する前に、事前に定義された時間待つステップと、
前記タイマが動いている間、セル再選択基準が満たされるか否かをチェックするステップと
を含むことを特徴とする方法。
【請求項２】
前記セル再選択基準が満たされることを決定するステップと、
前記タイマを停止するステップと、
セル再選択を実行するステップと
をさらに含むことを特徴とする請求項１に記載の方法。
【請求項３】
前記タイマは、セル再選択が実行されるときに停止することを特徴とする請求項１に記載の方法。
【請求項４】
前記タイマが終了すると、前記セル再選択基準が満たされないときに、ランダムアクセスを試みるステップをさらに含むことを特徴とする請求項１に記載の方法。
【請求項５】
前記タイマは、バックオフタイマであることを特徴とする請求項１に記載の方法。
【請求項６】
ワイヤレス送受信ユニット（ＷＴＲＵ）において実施される、無線リンク（ＲＬ）障害に対処するための方法であって、
ＲＬ障害についての基準が満たされることを決定するステップと、
ＲＬ障害についての前記基準が満たされることを決定すると、あらかじめ定められた期間の間、セル再選択基準が満たされるか否かをチェックする前に、事前に定義された時間待つステップと、
前記あらかじめ定められた期間が経過する前に前記セル再選択基準が満たされるときに、セル再選択を実行するステップと、
前記あらかじめ定められた期間が経過するときに前記セル再選択基準が満たされないときに、ランダムアクセスを試みるステップと
を含むことを特徴とする方法。
【請求項７】
前記あらかじめ定められた期間は、バックオフタイマを介して追跡されることを特徴とする請求項６に記載の方法。
【請求項８】
ワイヤレス送受信ユニット（ＷＴＲＵ）であって、
セル転送アクセスチャネル（ＣＥＬＬ＿ＦＡＣＨ）状態において動作しているときに、無線リンク（ＲＬ）障害についての基準が満たされることを決定し、
ＲＬ障害についての前記基準が満たされることを決定すると、タイマを開始する前に、事前に定義された時間待ち、
前記タイマが動いている間、セル再選択基準が満たされるか否かをチェックする
ように構成されたプロセッサを備えたことを特徴とするＷＴＲＵ。
【請求項９】
前記プロセッサは、
前記セル再選択基準が満たされることを決定し、
前記タイマを停止し、
セル再選択を実行する
ようにさらに構成されることを特徴とする請求項８に記載のＷＴＲＵ。
【請求項１０】
前記タイマは、セル再選択が実行されるときに停止することを特徴とする請求項８に記載のＷＴＲＵ。
【請求項１１】
前記プロセッサは、前記タイマが終了すると、前記セル再選択基準が満たされないときに、ランダムアクセスを試みるようにさらに構成されることを特徴とする請求項８に記載のＷＴＲＵ。
【請求項１２】
前記タイマは、バックオフタイマであることを特徴とする請求項８に記載のＷＴＲＵ。
【発明の詳細な説明】
【技術分野】
【０００１】
本発明は、ワイヤレス通信に関する。
【背景技術】
【０００２】
第３世代パートナーシッププロジェクト（３ＧＰＰ）標準のリリース８内の広帯域符号分割多元接続（ＷＣＤＭＡ（登録商標））標準の、現在進行中の発展の一部として、ＣＥＬＬ＿ＦＡＣＨ状態にあるワイヤレス送受信ユニット（ＷＴＲＵ）に対して拡張専用チャネル（Ｅ−ＤＣＨ）を組み込むために、新しい作業項目が設けられている。
【０００３】
図１は、拡張アップリンク（ＵＬ）を有する３ＧＰＰ  ＷＴＲＵの無線リソース制御（ＲＲＣ）サービス状態を示す。ＷＴＲＵは、ユーザ活動に応じて、いくつかの状態で動作することができる。以下の状態、すなわちアイドル、セル専用チャネル（ＣＥＬＬ＿ＤＣＨ）、セル転送アクセスチャネル（ＣＥＬＬ＿ＦＡＣＨ）、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）地上波無線アクセスネットワーク（ＵＴＲＡＮ）登録エリアページングチャネル（ＵＲＡ＿ＰＣＨ）、およびセルページングチャネル（ＣＥＬＬ＿ＰＣＨ）が規定されている。ＲＲＣ状態遷移は、無線ネットワークコントローラ（ＲＮＣ）パラメータを使用してネットワークによって制御されており、ＷＴＲＵは、それ自体によって状態変更を実施しようとすることはない。
【０００４】
ＣＥＬＬ＿ＤＣＨ状態では、ＵＬおよびダウンリンク（ＤＬ）において、専用物理チャネルがＷＴＲＵに割り当てられる。ＷＴＲＵは、その現在のアクティブセットに従ってセルレベルで知られている。ＷＴＲＵは、専用トランスポートチャネル、共用トランスポートチャネル、またはこれらのトランスポートチャネルの組合せを使用することができる。
【０００５】
ＷＴＲＵは、共通のチャネル（たとえば、転送アクセスチャネル（ＦＡＣＨ）、ランダムアクセスチャネル（ＲＡＣＨ））を使用するように割り当てられている場合、ＣＥＬＬ＿ＦＡＣＨ状態にある。  ＣＥＬＬ＿ＦＡＣＨ状態では、専用物理チャネルがＷＴＲＵに割り当てられず、ＷＴＲＵは、ＤＬで（たとえば、２次共通制御物理チャネル（Ｓ−ＣＣＰＣＨ）を介して搬送される）転送アクセスチャネル（ＦＡＣＨ）または高速ダウンリンク共用チャネル（ＨＳ−ＤＳＣＨ）を連続的に監視する。ＷＴＲＵには、ＵＬでデフォルトの共通トランスポートチャネルまたは共用トランスポートチャネル（たとえば、ランダムアクセスチャネル（ＲＡＣＨ））が割り当てられ、ＷＴＲＵはそれを、そのトランスポートチャネルに関するアクセス手順に従っていつでも使用することができる。ＷＴＲＵの位置は、そのＷＴＲＵがセル更新を最後に実施したセルに従って、セルレベルでＵＴＲＡＮに知られている。
【０００６】
ＣＥＬＬ＿ＰＣＨ状態では、専用物理チャネルがＷＴＲＵに割り当てられない。ＷＴＲＵは、ＰＣＨを選択し、選択したＰＣＨを、関連のページインジケータチャネル（ＰＩＣＨ）を介して監視するために、不連続受信を使用する。どのＵＬ活動も可能ではない。ＷＴＲＵの位置は、そのＷＴＲＵがＣＥＬＬ＿ＦＡＣＨ状態でセル更新を最後に実施したセルに従って、セルレベルでＵＴＲＡＮに知られている。
【０００７】
ＵＲＡ＿ＰＣＨ状態では、専用チャネルがＷＴＲＵに割り当てられない。ＷＴＲＵは、ＰＣＨを選択し、選択したＰＣＨを、関連のＰＩＣＨを介して監視するために、不連続受信を使用する。どのＵＬ活動も可能ではない。ＷＴＲＵの位置は、ＣＥＬＬ＿ＦＡＣＨ状態での最後のＵＲＡ更新中にＷＴＲＵに割り当てられていたＵＲＡに従って、ＵＴＲＡＮ登録エリアレベルでＵＴＲＡＮに知られている。
【０００８】
ＲＡＣＨトランスポート機構は、獲得指示（ａｃｑｕｉｓｉｔｉｏｎ  ｉｎｄｉｃａｔｉｏｎ）を用いるスロットアロハ（ｓｌｏｔｔｅｄ−Ａｌｏｈａ）手法に基づくものである。ＷＴＲＵは、メッセージを送信する前に、ランダムに選択されたアクセススロット内で、ランダムに選択されたシグナチャシーケンスで構成されている短いプリアンブルを送信することによってチャネルを獲得する。次いで、ＷＴＲＵは、獲得指示チャネル（ＡＩＣＨ）上で、リッスンし、ノードＢからの獲得指示を待つ。この指示は、ＷＴＲＵによって選択されたプリアンブルシグナチャシーケンスに一対一でマッピングされた特定のＡＩＣＨシグナチャシーケンスを含む。肯定的な獲得指示が受け取られた場合、ＷＴＲＵは、チャネルを事実上獲得しており、そのメッセージを送信することができる。ＷＴＲＵがＲＡＣＨシステム内で使用することができるリソースは、プリアンブルシグナチャシーケンスの選択によって予め決定されている。
【０００９】
Ｅ−ＤＣＨを使用し、ＣＥＬＬ＿ＦＡＣＨのＷＴＲＵに関するデータ転送速度を、新しい拡張ＲＡＣＨ（Ｅ−ＲＡＣＨ）において増大することができる。ＷＴＲＵは、Ｅ−ＤＣＨを介して、リリース９９のＲＡＣＨを使用して可能なもの（すなわち、１０ｍｓまたは２０ｍｓの持続時間）より長い持続時間の間、送信することができる。
【００１０】
Ｅ−ＤＣＨを介した送信は、専用無線制御チャネルを確立することを必要とする。  リリース８以前では、ＣＥＬＬ＿ＦＡＣＨ状態からＣＥＬＬ＿ＤＣＨ状態に移動するとき、同期手順が実行され、それにより、ノードＢおよびＷＴＲＵの送信電力が適切なレベルに設定される。この同期手順Ａは、３ＧＰＰ標準に規定されており、長い接続時間に対処するように設計されている。この手順は、２つのフェーズからなる。第１フェーズ中には、ｉｎ−ｓｙｎｃプリミティブだけを、物理レイヤからＷＴＲＵのレイヤ３（Ｌ３）にレポートすることができる。先行する４０ｍｓ中にＤＬ無線リンク（ＲＬ）（すなわち、フラクショナル専用物理チャネル（Ｆ−ＤＰＣＨ）または専用物理制御チャネル（ＤＰＣＣＨ））の品質が事前定義の閾値より高い場合、ｉｎ−ｓｙｎｃプリミティブがレポートされる。プリミティブは、１０ｍｓごとにレポートされる。Ｔ３１２の持続期間内にＮ３１２の連続するｉｎ−ｓｙｎｃがレポートされたとき物理チャネルが確立されたとみなされ、Ｎ３１２とＴ３１２は、共にＵＴＲＡＮが構成することができる。物理チャネルが確立されたとき、ＷＴＲＵは、ＵＬ送信を開始することができる。フェーズ２は、物理チャネルの確立後１６０ｍｓで始まり、この時点で、ｉｎ−ｓｙｎｃプリミティブとｏｕｔ−ｏｆ−ｓｙｎｃプリミティブのどちらをも、ＷＴＲＵのＬ３にレポートすることができる。
【００１１】
ＣＥＬＬ＿ＦＡＣＨ状態でのＥ−ＤＣＨ送信の場合、検証後期間を利用する別の同期手順（たとえば、同期手順ＡＡ）が提供される。検証後期間は４０ｍｓの時間であり、この中でＤＬ信号品質が確認される。検証後手順の間、ＷＴＲＵは、直ちにＵＬ上でデータを送信することができる。送信している間、ＷＴＲＵは、Ｆ−ＤＰＣＨの送信電力制御（ＴＰＣ）フィールドの品質を監視する。４０ｍｓ後、Ｆ−ＤＰＣＨのＴＰＣフィールドの品質が閾値Ｑｉｎより良好である場合には、ポスト検証が成功であり、そうでない場合には、失敗となる。
【００１２】
ＣＥＬＬ＿ＤＣＨ状態にある、またはＣＥＬＬ＿ＤＣＨ状態に移行しているＷＴＲＵについて、検証後期間が失敗したとき、そのＷＴＲＵの、同期手順の挙動は、３ＧＰＰ標準に規定されている。しかし、ＣＥＬＬ＿ＦＡＣＨ状態で動作しているときそのＷＴＲＵについては、提案されている同期手順に関してＷＴＲＵの挙動が規定されていない。
【００１３】
ＲＬ確立および電力制御に関する現在の仕様は、特定のＷＴＲＵに対して長期間予約される専用ＲＬリソースに関して規定されている。しかし、それらの仕様は、ＷＴＲＵが（たとえば、バーストトラフィックのための）短期間の間チャネルを占有し、その後で無線リソースが解放される状況にあまり適していない。
【発明の概要】
【発明が解決しようとする課題】
【００１４】
現行の３ＧＰＰ標準では、ＲＬ失敗は、ＷＴＲＵがＣＥＬＬ＿ＤＣＨ状態にあるときトリガされるにすぎない。ＲＬ失敗後のＷＴＲＵの挙動は、ＣＥＬＬ＿ＦＡＣＨ状態に遷移すること、セル再選択を実施すること、およびセル更新手順を開始することを含む。しかし、ＣＥＬＬ＿ＦＡＣＨ状態にあるＷＴＲＵについてＲＬ失敗をトリガする手順が望ましい。
【課題を解決するための手段】
【００１５】
方法および装置を使用し、ＲＬ失敗および検証後プロセスを検出する。Ｅ−ＤＣＨ上での送信が開始された後で、ダウンリンクＦ−ＤＰＣＨの品質が監視される。ダウンリンクＦ−ＤＰＣＨの品質が事前定義の閾値未満であるかどうか判定される。その品質が事前定義の閾値未満である場合には、ＲＬ失敗の発生が示され、ＣＥＬＬ＿ＦＡＣＨ状態でのＥ−ＤＣＨを介した送信が終了する。ポスト検証失敗の場合には、Ｅ−ＤＣＨリソースが解放される。
【図面の簡単な説明】
【００１６】
例として与えられている以下の説明を添付の図面と併せ読めば、より詳細に理解することができる。
【図１】高速ダウンリンクパケットアクセス（ＨＳＤＰＡ）／高速アップリンクパケットアクセス（ＨＳＵＰＡ）を用いたＲＲＣ状態を示す。
【図２】ワイヤレス通信システムの図である。
【図３】図２に示されているワイヤレス通信システムのＷＴＲＵおよび基地局の機能ブロック図である。
【図４】無線インターフェースプロトコルモデルの例示的なブロック図である。
【図５】検証後プロセスが失敗した場合のＷＴＲＵの挙動の流れ図である。
【図６】ＷＴＲＵがＣＥＬＬ＿ＦＡＣＨ状態でＥ−ＤＣＨを介して送信しているときのＲＬ失敗のトリガ条件の流れ図である。
【図７】ＲＬ失敗が検出されたときのＷＴＲＵの挙動に関する図である。
【図８】ＲＬ故障状態の監視に関するタイミングチャートである。
【図９】ＲＬ失敗の発生を決定するノードＢトリガ条件の流れ図である。
【発明を実施するための形態】
【００１７】
「ワイヤレス送受信ユニット（ＷＴＲＵ）」という用語は、以下で参照されたとき、それだけには限らないが、ユーザ機器（ＵＥ）、移動局、固定型もしくは移動型加入者ユニット、ページャ、セルラ電話、携帯情報端末（ＰＤＡ）、コンピュータ、またはワイヤレス環境内で動作することが可能な任意の他のタイプのユーザデバイスを含む。「基地局」という用語は、以下で参照されたとき、それだけには限らないが、ノードＢ、サイトコントローラ、アクセスポイント（ＡＰ）、またはワイヤレス環境内で動作することが可能な任意の他のタイプのインターフェース用デバイスを含む。
【００１８】
Ｅ−ＤＣＨという用語は、以下で参照されたとき、ＣＥＬＬ＿ＦＡＣＨ状態、ＣＥＬＬ＿ＰＣＨ状態、ＵＲＡ＿ＰＣＨ状態、またはアイドルモードでの、競合ベースのアクセスに続く、Ｅ−ＤＣＨを介した送信を示すために使用することができる。ＣＥＬＬ＿ＦＡＣＨ状態でのＥ−ＤＣＨという用語は、ＣＥＬＬ＿ＰＣＨ状態、ＵＲＡ＿ＰＣＨ状態、および／またはアイドルモードでのＥ−ＤＣＨを示すことができる。本明細書に開示されている方法はまた、ＷＴＲＵがより長い持続時間の間チャネルを占有している既存の競合ベースのアクセス（すなわち、ＲＡＣＨ）に対する任意の他の改善に適用可能である。
【００１９】
図２は、複数のＷＴＲＵ２１０、ノードＢ２２０、ＣＲＮＣ２３０、ＳＲＮＣ２４０、およびコアネットワーク２５０を含むワイヤレス通信システム２００を示す。図３に示されているように、ＷＴＲＵ２１０はノードＢ２２０と通信し、ノードＢ２２０は、ＣＲＮＣ２３０およびＳＲＮＣ２４０と通信する。３つのＷＴＲＵ２１０、１つのノードＢ２２０、１つのＣＲＮＣ２３０、および１つのＳＲＮＣ２４０が図２に示されているが、ワイヤレスデバイスと有線デバイスの任意の組合せがワイヤレス通信システム２００に含まれる可能性があることに留意されたい。
【００２０】
図３は、図２のワイヤレス通信システム２００のＷＴＲＵ２１０およびノードＢ２２０の機能ブロック図３００である。図３に示されているように、ＷＴＲＵ２１０はノードＢ２２０と通信し、どちらも、あるＷＴＲＵがＣＥＬＬ＿ＦＡＣＨ状態でＥ−ＤＣＨを介して送信しているときＲＬ失敗の発生を検出するための方法を実施するように構成される。
【００２１】
典型的なＷＴＲＵ内に見出すことができる構成要素に加えて、ＷＴＲＵ２１０は、プロセッサ２１５、受信器２１６、送信器２１７、アンテナ２１８を含む。プロセッサ２１５は、あるＷＴＲＵがＣＥＬＬ＿ＦＡＣＨ状態でＥ−ＤＣＨを介して送信しているときＲＬ失敗の発生を検出するための方法を実施するように構成される。受信器２１６および送信器２１７は、プロセッサ２１５と通信する。アンテナ２１８は、受信器２１６とも送信器２１７とも通信し、ワイヤレスデータの送信および受信を容易にする。
【００２２】
典型的な基地局内に見出すことができる構成要素に加えて、ノードＢ２２０は、プロセッサ２２５、受信器２２６、送信器２２７、アンテナ２２８を含む。プロセッサ２２５は、あるＷＴＲＵがＣＥＬＬ＿ＦＡＣＨ状態でＥ−ＤＣＨを介して送信しているときＲＬ失敗の発生を検出するための方法を実施するように構成される。受信器２２６および送信器２２７は、プロセッサ２２５と通信する。アンテナ２２８は、受信器２２６とも送信器２２７とも通信し、ワイヤレスデータの送信および受信を容易にする。
【００２３】
図４は、無線インターフェースプロトコルモデル４００を示す。ＷＴＲＵ２１０は、ＲＲＣレイヤ（Ｌ３）エンティティ、ＲＬＣエンティティ、媒体アクセス制御（ＭＡＣ）エンティティ、物理（ＰＨＹ）レイヤ（Ｌ１）エンティティを含むことができる。ＲＬＣエンティティは、送信側サブアセンブリおよび受信側サブアセンブリを含む。送信側サブアセンブリは、送信バッファを含む。ＲＬＣエンティティは、無線伝送の信頼性を高める。ＭＡＣエンティティは、伝送媒体に対するユーザアクセスを制御する。ＰＨＹレイヤは、電波を介してデータを送信および受信する。ノードＢ２２０は、図４に示されているものと同じエンティティを含むことができる。
【００２４】
図５は、検証後プロセスが失敗したときのＷＴＲＵ２１０の挙動の流れ図を示す。検証後プロセスが失敗する（５０５）。Ｅ−ＤＣＨリソースの解放をトリガするように（５１０）、ＷＴＲＵ２１０を構成することができる。任意選択で、事前定義のタイマが満了するのを待つように（５１５）、ＷＴＲＵ２１０を構成することができる。別のＥ−ＤＣＨ  ＵＬランダムアクセスを試みる前にバックオフ手順を実施するように、ＷＴＲＵ２１０を構成することができる。バックオフタイマを開始するように（５２０）、ＷＴＲＵ２１０を構成することができる。タイマが満了していない場合（５２５）、セル再選択基準が満たされているかどうか検証するように（５３５）、ＷＴＲＵ２１０を構成することができる。セル再選択基準が満たされる場合、セル更新手順を実施し、ＣＥＬＬ  ＵＰＤＡＴＥメッセージをノードＢに送信するように（５４０）、ＷＴＲＵ２１０を構成することができる。セル再選択基準が満たされていない場合、ＷＴＲＵ２１０は、バックオフタイマの状況およびセル更新基準の検証を続行する。バックオフタイマが満了したとき（５２５）、新しいＵＬランダムアクセスを試みるように（５３０）、ＷＴＲＵ２１０を構成することができる。バックオフタイマは、より高いレイヤによって構成されてもよい。
【００２５】
あるいは、ＷＴＲＵ２１０は、セル再選択、ＲＬ失敗を示すセル更新手順、またはＣＥＬＬ＿ＦＡＣＨ状態でのＥ−ＤＣＨ期間中の失敗を示す新しいアクションを実施することができる。任意選択で、ＷＴＲＵ２１０は、送信失敗をより高いレイヤに示すように構成されてもよい。
【００２６】
Ｅ−ＤＣＨリソースを解放すること、またはＣＥＬＬ＿ＦＡＣＨ状態またはアイドルモードでのＥ−ＤＣＨアクセスを終了することは、以下で構成されることがある。ＰＨＹレイヤ手順が失敗し終了したことをＰＨＹレイヤがＭＡＣにレポートすることができ、その時点で、ＭＡＣレイヤは、データを物理レイヤに送信することを停止する。Ｅ−ＤＣＨ受信（Ｅ−ＤＣＨアクセス許可チャネル（Ｅ−ＡＧＣＨ）、Ｅ−ＤＣＨハイブリッド自動再送要求（ＨＡＲＱ）インジケータチャネル（Ｅ−ＨＩＣＨ）、Ｅ−ＤＣＨ相対的許可チャネル（Ｅ−ＲＧＣＨ））手順および送信（Ｅ−ＤＰＣＣＨ、Ｅ−ＤＣＨ専用物理データチャネル（Ｅ−ＤＰＤＣＨ））手順が停止される。ＭＡＣ−ｉ／ｉｓエンティティがリセットされる。ＭＡＣ−ｉ／ｉｓエンティティをリセットすることは、ＨＡＲＱプロセスをフラッシュすること、送信シーケンス番号（ＴＳＮ）を初期値に設定すること、およびセグメント化バッファ内に残りのセグメントがあればそれを破棄することを含む。あるいは、ＷＴＲＵ２１０は、ＨＡＲＱプロセスをフラッシュするだけでもよく、または完全なＭＡＣ−ｉ／ｉｓリセットを実施するのではなく、ＨＡＲＱプロセスをフラッシュし、ＴＳＮ値をリセットする。任意選択で、ＷＴＲＵ２１０は、Ｅ−ＤＣＨ無線ネットワーク一時識別（Ｅ−ＲＮＴＩ）、ＨＳ−ＤＳＣＨ  ＲＮＴＩ（Ｈ−ＲＮＴＩ）、またはセルＲＮＴＩ（Ｃ−ＲＮＴＩ）をクリアすることができる。
【００２７】
図６は、ＣＥＬＬ＿ＦＡＣＨ状態にあるＷＴＲＵ２１０に関するＲＬ失敗のトリガ条件の流れ図を示す。ＷＴＲＵ２１０がＥ−ＤＣＨを介して送信を開始する（６０５）。関連のＤＬ  Ｆ−ＤＰＣＨの品質が監視される（６１０）。チャネル品質は、ＷＴＲＵ２１０が送信を開始する時間からある特定のオフセットで監視することができる。Ｆ−ＤＰＣＨの品質がＮ個のフレームについて事前定義の閾値（すなわち、ＱF-DPCH）未満である場合（６１５）、ＲＬ失敗が発生したと決定され（６２５）、ここでＮは、連続するフレームの事前定義の数である。Ｆ−ＤＰＣＨが事前定義の閾値未満でない場合には、ＲＬ失敗がなく（６２０）、ＤＬ  Ｆ−ＤＰＣＨチャネルの品質の監視が続行される（６１０）。Ｆ−ＤＰＣＨの品質がＮ個のフレームについて満たされない場合には、Ｌ１がＬ３にレポートし、ＲＬ失敗を宣言する（６２５）。無線リンク失敗時には、ＣＥＬＬ＿ＦＡＣＨ状態でのどのＥ−ＤＣＨ送信をも終了するように（６３０）、ＷＴＲＵ２１０を構成することができる。
【００２８】
図７は、ＲＬ失敗が検出されたときのＷＴＲＵ２１０の挙動に関する図を示す。ＲＬ失敗が発生する（７０５）。ＷＴＲＵ２１０は、ＣＥＬＬ＿ＦＡＣＨ状態でのＥ−ＤＣＨ送信を終了することができる（７１０）。Ｅ−ＤＣＨ送信の終了は、Ｅ−ＤＣＨリソースを解放することで構成されることがある（７１５）。Ｅ−ＤＣＨ送信および受信手順が停止する（７２０）。ＭＡＣ−ｉ／ｉｓエンティティがリセットされる（７２５）。事前定義の時間を待つように（７３０）、ＷＴＲＵ２１０を構成することができる。バックオフタイマを開始する（７３５）、ＷＴＲＵ２１０を構成することができる。タイマが満了したかどうか判定するように（７４０）、ＷＴＲＵ２１０を構成することができる。タイマが満了していない場合、セル再選択基準が満たされているかどうか検証するように（７５０）、ＷＴＲＵ２１０が構成されている。セル再選択基準が満たされる場合、セル再選択手順を実施し、ＣＥＬＬ  ＵＰＤＡＴＥメッセージをノードＢに送るように（７５５）、ＷＴＲＵ２１０を構成することができる。セル再選択が満たされない場合、バックオフタイマの状況の検証を続行するように、ＷＴＲＵ２１０が構成されている。タイマが満了した場合には、新しいＵＬランダムアクセスを試みるように（７４５）、ＷＴＲＵ２１０が構成されている。
【００２９】
あるいは、ＲＬ失敗が発生したとき、ＷＴＲＵ２１０は、ＨＡＲＱプロセスをフラッシュし、ＴＳＮをリセットし、セル再選択、ＲＬ失敗を示すアクション、またはＣＥＬＬ＿ＦＡＣＨ状態でのＥ−ＤＣＨ期間中の失敗を示す任意のアクションと共にセル更新手順を実施することができる。
【００３０】
あるいは、ＷＴＲＵ２１０は、事前定義のＫ回までＥ−ＤＣＨを介した送信を再試行し、次いでセル再選択手順をトリガすることができる。
【００３１】
ＷＴＲＵ２１０が、短縮された送信時間間隔（ＴＴＩ）値（たとえば、２ｍｓ）を使用して送信を試みた場合、ＷＴＲＵ２１０は、より大きなＴＴＩ値（たとえば、１０ｍｓ）を使用してＥ−ＤＣＨを介した送信を再試行することができる。
【００３２】
あるいは、ＷＴＲＵ２１０が大きなＴＴＩ値（たとえば、１０ｍｓ）を使用してＥ−ＤＣＨを介した送信を試みた場合、ＷＴＲＵ２１０は、ＲＡＣＨを介して送信を試みることができる。
【００３３】
あるいは、関連のＤＬ  ＤＰＣＣＨの品質を監視することもできる。ＤＰＣＣＨの品質がＮ個のフレームについて事前定義の閾値未満である場合、ＲＬ失敗が発生したと決定され、ここでＮは、連続するフレームの事前定義の数である。
【００３４】
Ｌ１もまた、Ｆ−ＤＰＣＨまたはＤＰＣＣＨの品質がＭ個の連続するフレームのうちのＮ個について事前定義の閾値ＱF-DPCH未満である場合、Ｌ３にレポートし、ＲＬ失敗を宣言するように構成されてもよい。
【００３５】
あるいは、共通パイロットチャネル（ＣＰＩＣＨ）の品質を監視するように、ＷＴＲＵ２１０を構成することができる。ＣＰＩＣＨまたは任意の他のＤＬ制御チャネルの品質がＮ個のフレームについて事前定義の閾値未満である場合、ＷＴＲＵ２１０のＬ１がＷＴＲＵ２１０のＬ３にＲＬ失敗をレポートする。
【００３６】
あるいは、ＷＴＲＵ２１０は、そのＵＬ送信についてノードＢ２２０から肯定応答（ＡＣＫ）または否定応答（ＮＡＣＫ）の受信を監視するように構成されてもよい。ＷＴＲＵ２１０が事前定義の連続するＵＬ送信Ｌのウィンドウ内でＫ個のＮＡＣＫを受信し、ここでＫおよびＬは事前に構成されている、またはＷＴＲＵ２１０にシグナリングされる場合、ＷＴＲＵ２１０のＬ１は、ＷＴＲＵ２１０のＬ３にレポートし、ＲＬ失敗が発生したことを示す。
【００３７】
あるいは、ハイブリッド自動再送要求（ＨＡＲＱ）プロセスの成功を監視するように、ＷＴＲＵ２１０を構成することができる。Ｒ個のＨＡＲＱプロセスがＪ個の新しいＨＡＲＱプロセスのウィンドウ内で失敗した場合、ＲＬ失敗を宣言するように、ＷＴＲＵ２１０を構成することができ、ここでＲおよびＪは、事前に構成する、またはＷＴＲＵ２１０にシグナリングすることができるパラメータである。
【００３８】
Ｆ−ＤＰＣＨまたはＤＰＣＣＨを介してＳ個の連続するＴＰＣ  ＵＰコマンドを受信するように、ＷＴＲＵ２１０を構成することができ、Ｓは事前に構成されている、またはＷＴＲＵ２１０にシグナリングされる。最大電力に達しているためにＷＴＲＵ２１０がそれ以上その送信電力を増大することができない場合、ＷＴＲＵ２１０は、ＲＬ失敗を宣言することができる。
【００３９】
あるいは、ＤＬ制御チャネル上での受信電力の増大を観測することなしに、ＷＴＲＵ２１０が、ＵＬ  ＤＰＣＣＨを介してＳ個の連続するＴＰＣ  ＵＰコマンドを送信し、ノードＢ２２０にそのＤＬ送信電力を増大することを要求したとき、ＲＬ失敗が宣言されてもよい。
【００４０】
制限されたＵＬ送信では、Ｅ−ＤＣＨを使用しノードＢ２２０をピン（ｐｉｎｇ）するように、ＷＴＲＵ２１０を構成することができ、ＷＴＲＵ２１０は、ＡＩＣＨまたはＦ−ＤＰＣＨでノードＢ２２０を検証し、次いでＷＴＲＵ２１０は、ＲＬ失敗をレポートする。期間ＴpingにわたってＵＬ送信がないときｐｉｎｇ送信が行われるように、ｐｉｎｇ送信がセットアップされる。
【００４１】
あるいは、ＷＴＲＵ２１０が、Ｍ期間にわたって、指定されたスロット上でノードＢ２２０から信号を受信しない場合には、ＷＴＲＵ２１０がＲＬ失敗をレポートする。
【００４２】
図８は、ＲＬ故障状態の監視に関するタイミングチャートである。図６において上述したように、またすべてのトリガ条件について、ＷＴＲＵ２１０は、Ｅ−ＤＣＨを介して（すなわち、ノードＢ２２０からのＡＩＣＨ指示に続いて）送信を開始することができる（８０５）。ＷＴＲＵ２１０は、ＷＴＲＵ２１０が送信を開始する時間からあるオフセットＴ１で条件の監視を開始することができる（８１０）。この時間オフセットパラメータ期間により、電力制御ループが、収束するための十分な時間を有することができる。トリガ条件が監視され始める時間から、物理レイヤがｏｕｔ−ｏｆ−ｓｙｎｃプリミティブをレポートすることが可能になる時間にかけて、追加の据置き期間Ｔ２を導入することができる（８１５）。この追加の据置き期間Ｔ２により、電力制御ループを安定化させるための追加の時間が許される。期間Ｔ１およびＴ２は時間オフセットパラメータであり、事前定義されても、より高いレイヤによって構成されてもよい（すなわち、ＲＲＣシグナリングまたはブロードキャストチャネル）。Ｔ１およびＴ２はまた、本明細書におけるより一般的なシナリオの特別な場合として、個々にまたは共にゼロの値をとることができる。
【００４３】
あるいは、ＷＴＲＵ２１０は、ＣＥＬＬ＿ＦＡＣＨ状態でＥ−ＤＣＨを介して送信していないときＲＬ品質を監視するように構成されてもよい。具体的には、ＣＥＬＬ＿ＦＡＣＨ状態、ＣＥＬＬ＿ＰＣＨ状態、またはＵＲＡ＿ＰＣＨ状態でのＷＴＲＵ２１０は、任意の他のＤＬ制御チャネル（たとえば、ＣＰＩＣＨ）の品質を連続的に監視することができる。観測されているＤＬ制御チャネルの品質が事前定義の時間について事前定義の閾値未満に低下した場合、ＷＴＲＵ２１０のＬ１はＷＴＲＵ２１０のＬ３にシグナリングし、ＲＬ失敗が発生したことを示すことができる。
【００４４】
図９は、ＲＬ失敗の発生を決定するノードＢ２２０のトリガ条件の流れ図を示す。ＣＥＬＬ＿ＦＡＣＨ状態にあるＷＴＲＵがＥ−ＤＣＨを介して送信を開始することができる（９０５）。ノードＢ２２０は、所定のウィンドウ期間にわたってＥ−ＤＣＨを監視する（９１０）。ノードＢ２２０は、ＷＴＲＵ２１０からの関連の制御チャネルの品質が所定の閾値未満であるかどうか判定する（９１５）。チャネルの品質が閾値未満でない場合には、ＲＬ失敗がなく（９２０）、チャネルの品質の監視が続行される（９１０）。品質が事前定義の閾値未満である場合には、ノードＢ２２０がＲＬ失敗を宣言する（９２５）。ノードＢ２２０は、Ｅ−ＡＧＣＨの特別な値を使用してＥ−ＲＡＣＨアクセスを終了するように、ＷＴＲＵ２１０に示すことができる（９３０）。これは、ＷＴＲＵごとに行われる。この指示は、ゼロ許可値をシグナリングすること、または予約されている値を使用することを含むことができる。ノードＢ２２０は、ＷＴＲＵとの接続を終了することができる（９３５）。
【００４５】
あるいは、所定のウィンドウ期間ＰにわたってＷＴＲＵ２１０からのフィードバックを求めてＥ−ＤＣＨを監視するように（９１０）、ノードＢ２２０を構成することができる。関連の制御チャネル（たとえば、ＵＬ  ＤＰＣＣＨ、ＵＬ  Ｅ−ＤＰＣＣＨ、またはＵＬ  ＨＳ−ＤＰＣＣＨ）の品質が所定の時間について所定の閾値未満である場合（９１５）、ノードＢ２２０はＲＬ失敗を宣言する。
【００４６】
あるいは、ノードＢ２２０は、関連のＵＬ送信についてＡＣＫフィードバック信号またはＮＡＣＫフィードバック信号の送信を監視することができる。ノードＢ２２０が所定の連続するＵＬ送信Ｌ個のウィンドウ内でＫ個のＮＡＣＫを送信したとき、ノードＢ２２０はＲＬ失敗を宣言することができる。
【００４７】
あるいは、ノードＢ２２０は、ＨＡＲＱプロセスの成功を監視することができる。ノードＢ２２０は、ＨＡＲＱプロセスを監視するように構成され、所定の数の新しいＨＡＲＱプロセス試行Ｊ個のウィンドウ内でＲ個のＨＡＲＱプロセスが失敗した場合、ノードＢ２２０はＲＬ失敗を宣言することができる。
【００４８】
あるいは、ＣＥＬＬ＿ＦＡＣＨ状態でＥ−ＤＣＨを使用して、Ｆ−ＤＰＣＨまたはＤＰＣＣＨを介して、Ｓ個の連続するＴＰＣ  ＵＰコマンド（すなわち、ノードＢ２２０からの、その電力を増大するための指示）を送信するように、ノードＢ２２０を構成することができる。コマンドが送られるＷＴＲＵ２１０からの受信電力の増大を観測することなしにノードＢ２２０がコマンドを送信した場合、ノードＢ２２０はＲＬ失敗を宣言することができる。
【００４９】
あるいは、ＵＬ  ＤＰＣＣＨ、Ｆ−ＤＰＣＨ、またはＤＰＣＣＨを介してＳ個のＴＰＣ  ＵＰコマンド（すなわち、ＷＴＲＵ２１０からの、その電力を増大するための指示）を受信するように、ノードＢ２２０を構成することができ、ノードＢ２２０がそれ以上その送信電力を増大することができない場合、ノードＢ２２０はＲＬ失敗を宣言することができる。
【００５０】
あるいは、ノードＢ２２０は、高速共用制御チャネル（ＨＳ−ＳＣＣＨ）オーダを介してＥ−ＤＣＨリソースを解放するようにＷＴＲＵ２１０に示すように構成される。ノードＢ２２０は送信することができ、ＨＳ−ＳＣＣＨオーダは、ＨＳ−ＳＣＣＨ制御チャネルを介して送信されるコマンドとすることができる。
【００５１】
あるいは、新しい、または既存のＬ３  ＲＲＣメッセージを使用し、ＷＴＲＵ２１０にＣＥＬＬ＿ＦＡＣＨ状態でのＥ−ＤＣＨを介した送信を停止してもよいことを示すことができる。あるいは、タイムアウト期間にわたってどのＵＬ送信にも応答しないように、ノードＢ２２０を構成することができる。あるいは、Ｅ−ＤＣＨ  ＨＡＲＱインジケータチャネル（Ｅ−ＨＩＣＨ）を介してＷＴＲＵ２１０にＫ個の連続するＮＡＣＫを送信するように、ノードＢ２２０を構成することができる。
【００５２】
（実施形態）
１．無線リンク（ＲＬ）失敗を検出するための、ワイヤレス送受信ユニット（ＷＴＲＵ）内で実施される方法であって、
ダウンリンクフラクショナル専用物理チャネル（Ｆ−ＤＰＣＨ）の品質を監視するステップを具えたことを特徴とする方法。
２．前記ダウンリンクＦ−ＤＰＣＨの前記品質がＮ個の連続するフレームについて事前定義の閾値Ｑ未満であると決定するステップであって、
Ｎは連続するフレームの事前定義の数であるステップをさらに具えたことを特徴とする実施形態１記載の方法。
３．ＲＬ失敗の発生を宣言するステップと、
セル転送アクセスチャネル（ＣＥＬＬ＿ＦＡＣＨ）状態での拡張専用チャネル（Ｅ−ＤＣＨ）を介した送信を終了するステップと
をさらに具えたことを特徴とする実施形態１又は２記載の方法。
４．前記ＣＥＬＬ＿ＦＡＣＨ状態での前記Ｅ−ＤＣＨの前記送信は、
Ｅ−ＤＣＨリソースを解放するステップと、
Ｅ−ＤＣＨ受信手順および送信手順を停止するステップと、
媒体アクセス制御（ＭＡＣ）エンティティをリセットするステップと
をさらに具えたことを特徴とする実施形態３記載の方法。
５．前記ＲＬ失敗が発生したことを物理レイヤがＭＡＣレイヤに示し、前記ＭＡＣレイヤは、前記物理レイヤにデータを送ることを停止することを特徴とする実施形態４記載の方法。
６．前記ＣＥＬＬ＿ＦＡＣＨ状態での前記Ｅ−ＤＣＨを終了した後で、
事前定義の時間量の間待つステップと、
バックオフタイマを開始するステップと、
別のＲＡＣＨアクセスを開始する前に前記バックオフタイマが満了するのを待つステップと
をさらに具えたことを特徴とする実施形態３記載の方法。
７．前記タイマが満了していない場合でも、前記ＷＴＲＵがセル再選択を実施するステップをさらに具えたことを特徴とする実施形態６記載の方法。
８．セル再選択基準が満たされたとき、前記ＷＴＲＵが前記バックオフタイマを終了し、セル再選択手順を実施するステップをさらに具えたことを特徴とする実施形態６又は７記載の方法。
９．ダウンリンクフラクショナル専用物理チャネル（Ｆ−ＤＰＣＨ）の品質を監視するように構成されたプロセッサを具えたことを特徴とするワイヤレス送受信ユニット（ＷＴＲＵ）。
１０．前記ダウンリンクＦ−ＤＰＣＨの前記品質がＮ個の連続するフレームについて事前定義の閾値Ｑ未満であると決定するように構成されたプロセッサであって、
Ｎは連続するフレームの事前定義の数である、プロセッサをさらに具えたことを特徴とする実施形態９記載のワイヤレス送受信ユニット（ＷＴＲＵ）。
１１．ＲＬ失敗の発生を宣言し、セル転送アクセスチャネル（ＣＥＬＬ＿ＦＡＣＨ）状態での拡張専用チャネル（Ｅ−ＤＣＨ）を介した送信を終了するように構成されたプロセッサをさらに具えたことを特徴とする実施形態１０記載のワイヤレス送受信ユニット（ＷＴＲＵ）。
１２．前記ＣＥＬＬ＿ＦＡＣＨ状態での前記Ｅ−ＤＣＨの前記送信は、
Ｅ−ＤＣＨリソースを解放する手段と、
Ｅ−ＤＣＨ受信手順および送信手順を停止する手段と、
媒体アクセス制御（ＭＡＣ）エンティティをリセットする手段と
をさらに具えたことを特徴とする実施形態１１記載のワイヤレス送受信ユニット（ＷＴＲＵ）。
１３．前記ＲＬ失敗が発生したことを物理レイヤがＭＡＣレイヤに示し、前記ＭＡＣレイヤは、前記物理レイヤにデータを送ることを停止することを特徴とする実施形態１２記載のワイヤレス送受信ユニット（ＷＴＲＵ）。
１４．前記ＣＥＬＬ＿ＦＡＣＨ状態での前記Ｅ−ＤＣＨを終了した後で、
事前定義の時間量の間待つ手段と、
バックオフタイマを開始する手段と、
別のＲＡＣＨアクセスを開始する前に前記バックオフタイマが満了するのを待つ手段とをさらに具えたことを特徴とする実施形態１１記載のワイヤレス送受信ユニット（ＷＴＲＵ）。
１５．前記タイマが満了していない場合でも、前記ＷＴＲＵがセル再選択を実施する手段をさらに具えたことを特徴とする実施形態１４記載のワイヤレス送受信ユニット（ＷＴＲＵ）。
１６．セル再選択基準が満たされたとき、前記ＷＴＲＵが前記バックオフタイマを終了し、前記セル再選択手順を実施する手段をさらに具えたことを特徴とする実施形態１５記載のワイヤレス送受信ユニット（ＷＴＲＵ）。
１７．ダウンリンク専用物理制御チャネル（ＤＰＣＣＨ）の品質を監視するように構成されていることをさらに具えたことを特徴とする実施形態９ないし１６のいずれかに記載のワイヤレス送受信ユニット（ＷＴＲＵ）。
１８．検証後手順が失敗した場合、かつセル再選択基準が満たされる場合、新しいセルを再選択し、Ｅ−ＤＣＨリソースを解放するように構成されていることをさらに具えたことを特徴とする実施形態９ないし１７のいずれかに記載のワイヤレス送受信ユニット（ＷＴＲＵ）。
１９．前記セル再選択基準が満たされない場合には、送信を完了しようと試みず、前記Ｅ−ＤＣＨリソースを解放するようにさらに構成されており、バックオフ手順を適用しアップリンクランダムアクセスを試みる前に事前定義の時間が満了するのを待つように構成されていることを特徴とする実施形態１８記載のワイヤレス送受信ユニット（ＷＴＲＵ）。
２０．ダウンリンクフラクショナル専用物理チャネル（Ｆ−ＤＰＣＨ）の品質を監視し、前記ダウンリンクＦ−ＤＰＣＨの前記品質がＮ個の連続するフレームについて事前定義の閾値Ｑ未満であると決定し、ポスト検証失敗を検出するように構成されたプロセッサであって、Ｎは連続するフレームの事前定義の数であるプロセッサを具えたことを特徴とするワイヤレス送受信ユニット（ＷＴＲＵ）。
２１．セル転送アクセスチャネル（ＣＥＬＬ＿ＦＡＣＨ）状態での拡張専用チャネル（Ｅ−ＤＣＨ）を介した送信を終了するように構成されたプロセッサをさらに具えたことを特徴とする実施形態２０記載のワイヤレス送受信ユニット（ＷＴＲＵ）。
２２．前記ポスト検証が失敗した場合、バックオフタイマを開始し、前記タイマが満了した後でアップリンクランダムアクセスを試みるように構成されていることを特徴とする実施形態２０記載のワイヤレス送受信ユニット（ＷＴＲＵ）。
２３．セル再選択基準が満たされる場合には、セル再選択を実施し、
前記バックオフタイマが満了していない可能性があっても送信するように構成されていることを特徴とする実施形態２０記載のワイヤレス送受信ユニット（ＷＴＲＵ）。
２４．前記ポスト検証が失敗した場合には、Ｅ−ＤＣＨリソースが解放されることを特徴とする実施形態２０記載のワイヤレス送受信ユニット（ＷＴＲＵ）。
【００５３】
上記では特徴および要素が特定の実施形態で述べられているが、各特徴および要素は、他の特徴および要素なしの単独で、または他の特徴および要素との、もしくは他の特徴および要素を用いない様々な組合せで使用することができる。本明細書で提供されている方法または流れ図は、汎用コンピュータまたはプロセッサによって実行するためのコンピュータ可読記憶媒体内に組み込まれるコンピュータプログラム、ソフトウェア、またはファームウェアで実施することができる。コンピュータ可読記憶媒体の例は、読取り専用メモリ（ＲＯＭ）、ランダムアクセスメモリ（ＲＡＭ）、レジスタ、キャッシュメモリ、半導体メモリデバイス、内部ハードディスクや取外し式ディスクなど磁気媒体、光磁気媒体、およびＣＤ−ＲＯＭディスクやデジタル多用途ディスク（ＤＶＤ）など光媒体を含む。
【００５４】
好適なプロセッサは、例として、汎用プロセッサ、専用プロセッサ、従来のプロセッサ、デジタル信号プロセッサ（ＤＳＰ）、複数のマイクロプロセッサ、ＤＳＰコアに関連付けられた１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、および／または状態機械を含む。
【００５５】
ソフトウェアに関連付けられたプロセッサを使用し、ワイヤレス送受信ユニット（ＷＴＲＵ）、ユーザ機器（ＵＥ）、端末、基地局、無線ネットワークコントローラ（ＲＮＣ）、または任意のホストコンピュータ内で使用するための無線周波数トランシーバを実装することができる。ＷＴＲＵは、カメラ、ビデオカメラモジュール、テレビ電話、スピーカフォン、振動デバイス、スピーカ、マイクロフォン、テレビトランシーバ、ハンドフリー用ハンドセット、キーボード、Ｂｌｕｅｔｏｏｔｈ（登録商標）モジュール、周波数変調（ＦＭ）無線ユニット、液晶ディスプレイ（ＬＣＤ）ディスプレイユニット、有機発光ダイオード（ＯＬＥＤ）ディスプレイユニット、デジタル音楽プレーヤ、メディアプレーヤ、ビデオゲームプレーヤモジュール、インターネットブラウザ、および／または任意のワイヤレスローカルエリアネットワーク（ＷＬＡＮ）モジュールもしくは超広帯域無線（ＵＷＢ）モジュールなど、ハードウェアおよび／またはソフトウェアで実装されるモジュールと共に使用することができる。
【図１】
0005969638.tif 000002
【図２】
0005969638.tif 000003
【図３】
0005969638.tif 000004
【図４】
0005969638.tif 000005
【図５】
0005969638.tif 000006
【図６】
0005969638.tif 000007
【図７】
0005969638.tif 000008
【図８】
0005969638.tif 000009
【図９】
0005969638.tif 000010